(57)【要約】【課題】ロックを掛けることに良好な抵抗力を有しながら、少ない部品数からなるロック機構を提案すること。【解決手段】本発明は、自動車用ロック機構に関し、前記ロック機構は、ステータ（１）と、ロック解除体を作動させるように設計したロータ（２）とを備えており、前記ステータ（１）と前記ロータ（２）は、互いに協働する第１組立手段と第２組立手段とを備えており、これにより、前記ロータ（２）は、前記ロータ（２）が前記ロータの回転軸に沿って平行移動することができる開いた角度位置と、前記第１および第２組立手段が前記ロータの回転軸に沿って平行に前記ロータ（２）をブロックする閉じた角度位置との間で移動することができ、前記閉じた角度位置は、休止位置と、ロック解除体を作動させるための少なくとも１つの動作位置とを備えており、前記ロック機構は、前記ロータ（２）の回転を開いた角度位置の方向でブロックするためのブロック手段（３３、３４）も備えている。本発明は、関連する自動車および関連する組立方法にも関する。【選択図】図４ｂ
2019510899.tif 000002
【特許請求の範囲】
【請求項１】
自動車用ロック機構であって、前記ロック機構は、ステータ（１）と、ロック解除部材を作動させるために、前記ステータ内に収容されて、回転可能であり、かつ前記ステータ（１）内で前記ロック機構の後部近くに軸方向に挿入可能なロータ（２）とを備えており、前記ステータ（１）は、第１取り付け手段（１１）を備え、前記ロータ（２）は、前記第１取り付け手段（１１）と協働する第２取り付け手段（２１、２２）を備えており、これにより、前記ロータ（２）は、
−前記ロータが前記ロータの回転軸に沿って平行移動可能である少なくとも１つの開いた角度位置（２３ａ，２４ａ）と、
−前記第１及び第２取り付け手段（１１、２１、２２）が、前記ロータの前記回転軸に沿って平行に前記ロータ（２）をブロックする閉じた角度位置との間で移動可動であり、
前記閉じた角度位置は、前記ロータ（２）が前記ロック解除部材を作動させない休止位置（２３ｂ、２４ｂ）と、前記ロータ（２）が前記ロック解除部材を作動させる少なくとも１つの動作位置とを備えており、
前記ロック機構は、前記ロータ（２）の前記開いた角度位置（２３ａ，２４ａ）への回転をブロックするブロック手段（３３、３４）をさらに備えていることを特徴とするロック機構。
【請求項２】
前記ロータを前記休止位置（２３ｂ、２４ｂ）へ駆動するようになっている戻り手段（３）をさらに備えていることを特徴とする請求項１に記載のロック機構。
【請求項３】
前記ロータ（２）は、前記戻り手段（３）が挿入されるハウジング（２６）を備えていることを特徴とする請求項２に記載のロック機構。
【請求項４】
前記ステータ（１）は、ステータ停止部を備え、前記ロータ（２）はロータ停止部を備えており、前記ブロック手段（３３、３４）は、前記ステータ停止部および／または前記ロータ停止部と協働するブロック脚を備えていることを特徴とする請求項１〜３のいずれか１項に記載のロック機構。
【請求項５】
前記ロータ（２）の前記休止位置（２３ｂ、２４ｂ）において、前記ハウジング（２６）、ステータおよびロータ停止部は、戻り手段（３）がロータ停止部およびステータ停止部と協働するように配置されていることを特徴とする請求項３または４に記載のロック機構。
【請求項６】
前記ロータ（２）は、１８０°の回転により、前記開いた角度位置（２３ａ，２４ａ）から前記休止位置（２３ｂ、２４ｂ）に切り替わることを特徴とする請求項１〜５のいずれか１項に記載のロック機構。
【請求項７】
前記戻り手段（３）は、前記ブロック脚を備えていることを特徴とする請求項２および４を引用する請求項５または６に記載のロック機構。
【請求項８】
前記ステータ（１）は、前記ステータ停止部によって画定された外側角度窪み（１５）を備えており、前記ロータ（２）は、前記ロータ停止部によって画定された内側角度窪み（２５）を備えており、
前記ロータ（２）が前記休止位置（２３ｂ、２４ｂ）にある場合、前記角度窪み（１５、２５）は、少なくとも部分的に重なり合っていることを特徴とする請求項４を引用する請求項５〜７のいずれか１項に記載のロック機構。
【請求項９】
前記ロータ（２）が前記開いた角度位置（２３ａ，２４ａ）にある場合、前記角度窪み（１５、２５）は、少なくとも部分的に互いに位置を変えていることを特徴とする請求項８に記載のロック機構。
【請求項１０】
前記ハウジング（２６）は、前記内側角度窪み（２５）上で半径方向に開口していることを特徴とする請求項３および７を引用する請求項８または９に記載のロック機構。
【請求項１１】
前記ステータ（１）の前記第１取付手段（１１）は、前記ロータ（２）に向かって延びる少なくとも１つの突起を備えており、
前記ロータ（２）の前記第２取付け手段（２１、２２）は、前記ロータ（２）を前記ステータ（１）内に前記閉じた角度位置で軸方向に固定するために、前記突起と協働する少なくとも１つの窪みを備えていることを特徴とする請求項１〜１０のいずれか１項に記載のロック機構。
【請求項１２】
ステータ（１）は、一体化されていることを特徴とする請求項１〜１１のいずれか１項に記載のロック機構。
【請求項１３】
前記ロック機構は、ロック解除キーを差し込むための前部と、ロック解除部材と協働する後部とを備えており、
前記取付け手段（２１、２２）は、前記ロータ（２）が前記開いた角度位置（２３ａ，２４ａ）で前記ステータ（１）内の後部近くに軸方向に挿入可能であることを特徴とする請求項１〜１２のいずれか１項に記載のロック機構。
【請求項１４】
前記ロック機構が始動装置および／またはドアリーフおよび／または燃料タンクおよび／またはグローブボックスに取り付けられている請求項１〜１３のいずれか１項に記載の少なくとも一つのロック機構を備えていることを特徴とする自動車。
【請求項１５】
請求項１〜１３のいずれか１項に記載の自動車用ロック機構の取り付け方法であって、前記ロック機構は、ロック解除キーを差し込むための前部と、ロック解除部材と協働する後部とを備えており、
ロータ（２）は、開いた角度位置（２３ａ、２４ａ）で、好ましくは前記後部からステータ（１）に軸方向に挿入され、かつ閉じた角度位置まで旋回し、
ブロック手段は、前記ロータ（２）の前記開いた角度位置（２３ａ、２４ａ）への回転をブロックするように配置されていることを特徴とする自動車用ロック機構の取り付け方法。
【発明の詳細な説明】
【技術分野】
【０００１】
本発明は、自動車用ロック機構、並びに本発明によるロック機構を備える自動車、および本発明によるロック機構の取り付け方法に関する。
【背景技術】
【０００２】
自動車用ロック機構は、ロック解除キーを差し込むための前部と、ロック解除部材と協働する後部とを備えている。このタイプのロック機構は、一般に、ステータと、このステータに回転移動可能に挿入されるロータとを備えている。
【０００３】
従来技術によれば、ロータをステータの前側に、すなわち、ロック機構の前部に配置されたステータに挿入し、ステータの後側に、すなわち、ロック機構の後部にサークリップによって固定しているロック機構が提案されている。
【０００４】
従来技術によるこのタイプのロック機構は、ロータを抜き取ること、すなわち、ロックを掛けるためにステータへの挿入とは反対方向にロータを抜き取ることに対する抵抗力に乏しいという欠点を有している。このタイプのロック機構の抜き取りに対する抵抗力は、サークリップの留め具の強度に依存している。
【０００５】
さらに、このタイプのロック機構は締結部品、すなわちサークリップを必要とする。この締結部品は、取り付けコストおよび取り付け時間を増加させ、さらに、取り付け中に操作員がそれを失くしてしまうおそれがある。
【０００６】
２分割したステータをロータの周りに軸方向に取り付け、かつ、２分割したステータをピンによって互いに固定しているロック機構も提案されている。
【０００７】
このタイプのロック機構は、いくつかの追加の部品、すなわち２分割されたステータと２個のピンとを必要とする欠点を有している。これらの追加の部品は、取り付けコストと取り付け時間を増加させてしまう。
【０００８】
２分割したステータをロータの周りに半径方向に取り付け、かつ、２分割したステータを「フォーク型システム」と呼ばれるシステムによって互いに固定しているロック機構も提案されている。
【０００９】
このタイプのロック機構は、間隔をあけること、すなわち、ロックを掛けるために、２分割したステータを分離するようにロータを半径方向に変位することに対する抵抗力に乏しいという欠点を有している。間隔をあけることに対する抵抗力を強化することは、複雑なフォーク型締結によって達成されるので、取り付けコストを増大させる。さらに、２分割したステータは、取り付けコストをさらに増加させる追加部品である。
【発明の概要】
【発明が解決しようとする課題】
【００１０】
本発明の目的は、力を加えること、特に、抜き取ること、間隔をあけること、押し付けること、すなわち、ロックを掛けるために、ロック機構の後側のロータに圧力をかけることに対する良好な抵抗力を有しながら、少ない部品数からなるロック機構を提案することである。
【課題を解決するための手段】
【００１１】
この目的のために、本発明は、自動車用ロック機構に関し、前記ロック機構は、ステータと、ロック解除部材を作動させるために、前記ステータ内に収容されて、回転移動可能なロータとを備えており、前記ステータは、第１取り付け手段を備え、前記ロータは、前記第１取り付け手段と協働する第２取り付け手段を備えており、これにより、前記ロータは、
−前記ロータが前記ロータの回転軸に沿って平行移動可能である少なくとも１つの開いた角度位置と、
−前記第１及び第２取り付け手段が、前記ロータの前記回転軸に沿って平行に前記ロータをブロックする閉じた角度位置との間で移動可動であり、
前記閉じた角度位置は、前記ロータが前記ロック解除部材を作動させない休止位置と、前記ロータが前記ロック解除部材を作動させる少なくとも１つの動作位置とを備えており、
前記ロック機構は、前記ロータの前記開いた角度位置への回転をブロックするブロック手段をさらに備えている。
【００１２】
本発明によるロック機構の取り付け手段は、ロック機構の取り付け時間および取り付けコストを増加させることなく、力を加えること、特に押し付けること、および抜き取ることに対する良好な抵抗力を持つことができるという利点を有している。
【００１３】
好ましい実施形態によれば、本発明による自動車用ロック機構は、個々に、またはすべての可能な組み合わせに従って考慮される以下の特徴の一つ以上を備えており、
−前記ロック機構は、前記ロータを前記休止位置へ駆動するようになっている戻り手段を備えており、および／または
−前記ロータは、前記戻り手段が挿入されるハウジングを備えており、および／または
−前記ステータは、ステータ停止部を備え、前記ロータはロータ停止部を備えており、前記ブロック手段は、前記ステータ停止部および／または前記ロータ停止部と協働するブロック脚を備えており、および／または
−前記ロータの前記休止位置において、前記ハウジング、ステータおよびロータ停止部は、前記戻り手段が前記ロータ停止部および前記ステータ停止部と協働するように配置されており、および／または
−前記ロータは、１８０°の回転により、前記開いた角度位置から前記休止位置に切り替わり、および／または
−前記戻り手段は、前記ブロック脚を備えており、および／または
−前記ステータは、前記ステータ停止部によって画定された外側角度窪みを備えており、前記ロータは、前記ロータ停止部によって画定された内側角度窪みを備えており、前記ロータが前記休止位置にある場合、前記角度窪みは、少なくとも部分的に重なり合っており、および／または
−前記ロータが前記開いた角度位置にある場合、前記角度窪みは、少なくとも部分的に互いに位置を変えており、および／または
−前記ハウジングは、前記内側角度窪み上で半径方向に開口しており、および／または
−前記ステータの前記第１取付手段は、前記ロータに向かって延びる少なくとも１つの突起を備えており、前記ロータの前記第２取付け手段は、前記ロータを前記ステータ内に前記閉じた角度位置で軸方向に固定するために、前記突起と協働する少なくとも１つの窪みを備えており、および／または
−前記ステータは、一体化されており、および／または
−前記ロック機構は、ロック解除キーを差し込むための前部と、ロック解除部材と協働する後部とを備えており、前記取付け手段は、前記ロータが前記開いた角度位置で前記ステータ内の後部近くに軸方向に挿入可能なようになっている。
【００１４】
本発明は、前記ロック機構が始動装置および／またはドアリーフおよび／または燃料タンクおよび／またはグローブボックスに取り付けられる本発明による少なくとも一つのロック機構を備えている自動車にも関する。
【００１５】
本発明はさらに、自動車用ロック機構を取り付ける方法に関し、前記ロック機構は、ロック解除キーを差し込むための前部と、ロック解除部材と協働する後部とを備えており、
ロータは、開いた角度位置で、好ましくは前記後部からステータに軸方向に挿入され、かつ閉じた角度位置まで旋回し、
ブロック手段は、前記ロータの前記開いた角度位置への回転をブロックするように配置されている
【図面の簡単な説明】
【００１６】
【図１】本発明の一実施形態によるロック機構の分解斜視図である。
【図２】本発明の他の実施形態によるロック機構の分解斜視図である。
【図３】本発明の一実施形態によるロック機構の開いた角度位置におけるロータを示す図である。
【図４ａ】本発明の一実施形態によるロック機構の休止位置におけるロータを示す図である。
【図４ｂ】本発明の他の実施形態によるロック機構の休止位置におけるロータを示す図である。
【発明を実施するための形態】
【００１７】
本発明の他の特徴および利点は、添付図面を参照して、非限定的な例として与えられた本発明の好ましい実施形態の以下の説明を読むことにより明らかになると思う。
【００１８】
異なる図面において、同様の要素には、同一の符号を付している。
【００１９】
図面は、本明細書を説明する以外の目的を有しておらず、どんな形であれ本発明の特許請求の範囲を限定するものではないことに留意されたい。同様に、本発明は、記載された実施形態に限定されず、特許請求の範囲において、他の変更された実施形態に及ぶものである。
【００２０】
本発明は、自動車用ロック機構に関する。このロック機構は、始動装置、車のドアまたはトランクなどのドアリーフ、燃料タンク、または自動車のグローブボックスに取り付けることができる。特に、図１および図２は、本発明の一実施形態によるこのようなロック機構の分解斜視図を示している。
【００２１】
ロック機構は、特に図２に示されているステータ１およびステータ１のハウジング１２に収容されているロータ２を備えている。ロータ２は、ステータ１内に回転移動可能に取り付けられている。ロータ２の回転により、ロック解除部材を作動させることができる。
【００２２】
ステータ１は、第１取り付け手段１１を備えており、ロータ２は、第１取り付け手段１１と協働する第２取り付け手段２１、２２を備えている。
【００２３】
例えば、図２に示すように、第１取り付け手段１１は、ステータ１の内壁からステータ１のハウジング１２に向かって延びる突起を備えている。換言すれば、ロータ２がステータ１のハウジング１２に収容される場合に、第１取り付け手段１１は、ステータ１からロータ２に向かって延びる突起を備えている。具体的には、第１取り付け手段１１の突起は、ステータ１の内壁からロータ２を受け入れるステータ１のハウジング１２に向かって半径方向に延びている。
【００２４】
図１に示すように、第２取り付け手段２１、２２は、ステータ１の突起と協働する窪みを備えている。換言すれば、第２取り付け手段２１、２２は、第１取り付け手段１１の突起と実質的に相補的な形状を有する窪みを備えており、これにより、ロータ２がステータ１のハウジング１２内の所定の位置に挿入されると、第１取り付け手段１１および第２取り付け手段２１、２２が協働することになる。具体的には、第２取り付け手段２１、２２は、ロータ２の回転軸方向でロータ２の外壁から半径方向に延びる窪みを備えている。
【００２５】
あるいは、第２取り付け手段２１、２２は、ロータ２がステータ１のハウジング１２に挿入されると、ロータ２の壁からステータ１に向かって延びる突起を備えており、ステータ１は、ステータ１のハウジング１２の方向と反対方向で、ステータ１の壁から延びる窪みを備えており、ロータ２の窪みは、ステータ１の突起と協働するようになっている。
【００２６】
第１取り付け手段１１と第２取り付け手段２１、２２とは協働することにより、ロータ２は、少なくとも開いた角度位置と閉じた角度位置との間で、移動可能、特に回転移動可能であり、かつ閉じた角度位置で、ブロック、特に平行にブロックされる。
【００２７】
図３に示す開いた角度位置２３ａ、２４ａは、ロータ２がロータの回転軸に沿って平行移動可能な位置に対応している。開いた角度位置では、ロータ２は、閉じた角度位置に向かって回転移動可能である。
【００２８】
開いた角度位置２３ａ、２４ａは、ロータ２の回転軸の周りに９０°から２７０°の間、特にほぼ１８０°で角度セクタにわたって延びていることが好ましい。
【００２９】
閉じた角度位置は、第１取り付け手段１１と第２取り付け手段２１、２２との間の協働により、ロータの回転軸に沿って平行にロータ２をブロックする位置に対応している。
【００３０】
閉じた角度位置は、ロータ２がロック解除部材を作動させない休止位置２３ｂ、２４ｂと、ロータ２がロック解除部材を作動させる少なくとも１つの動作位置、例えば２つの動作位置（図示せず）とを備えている。特に、休止位置は、各動作位置の角度セクタよりも広い角度セクタにわたって延びている。具体的には、動作位置は、特定の角度位置に対応することができ、休止位置は複数の角度位置を含む角度セクタに対応することができる。換言すれば、ロータ２が、休止位置２３ｂ、２４ｂから動作位置へ回転することにより、ロックするためにロック解除部材を作動できるようになり、ロータ２が、休止位置２３ｂ、２４ｂから他の動作位置へ回転することにより、ロック解除のためにロック解除部材を作動できるようになる。
【００３１】
具体的には、休止位置２３ｂ、２４ｂから動作位置の１つに切り替えることができる回転としては、例えばロックするためには、０°〜９０°の間、特に１つのケースとしては４５°より大きい角度だけ回転させることが好ましく、例えばロック解除のためには、０°〜−９０°の間、特に他のケースとしては−４５°より小さい角度だけ回転させることが好ましい。
【００３２】
ロータ２は、９０°より大きくかつ２７０°より小さい角度だけ、例えば、ほぼ１８０°だけ回転することによって、開いた角度位置２３ａ、２４ａから閉じた角度位置、特に休止位置２３ｂ、２４ｂに切り替わるという利点を有している。
【００３３】
さらに、図４ｂに示すように、ロック機構は、ロータ２が開いた角度位置に向かって閉じた角度位置にいる場合、ロータ２が回転することをブロックすることができるブロック手段３３、３４を備えている。具体的には、ブロック手段３３、３４は、ロータ２が開いた角度位置に向かって休止位置２３ｂ、２４ｂから回転することを防止している。換言すれば、ブロック手段３３、３４は、ロータを閉じた角度位置に保持することができる。
【００３４】
本発明の一実施形態によれば、ロック機構は、ロータ２を休止位置２３ｂ、２４ｂに戻すようになっている戻し手段３を備えている。例えば、ロック解除部材の作動に続いて、戻し手段３は、ロータ２を動作位置から休止位置２３ｂ、２４ｂへ駆動することができる。
【００３５】
戻し手段３は、例えば、ロータ２を休止位置２３ｂ、２４ｂに戻すことができる戻しばねである。図４ｂに示すように、戻り手段３は、ブロック手段３３、３４を備えているという利点を有している。結果として、戻し手段は、ロータ２が開いた角度位置２３ａ、２４ａに向かって回転することをブロックすることもできる。
【００３６】
具体的には、図４ａに示すように、ロータ２は、戻り手段３を挿入するようになっているハウジング２６を備えている。例えば、図４ｂでは、戻り手段３は、ほぼ環形状をなして、ロータ２の回転軸に沿って延びている。戻り手段３は、戻り手段３のほぼ環形状を横切る方向に延びているブロック手段３３、３４を備えている。ロータ２のハウジングは、戻り手段３をロータ２のハウジングに挿入できるように、ほぼ環形状をしている。
【００３７】
本発明の一実施形態によれば、ステータ１はステータ停止部を備え、ロータ２はロータ停止部を備えている。特に、図４ａに示すように、ステータ停止部は、第１部分１３と第２部分１４とを備え、ロータ停止部は、第１部分２３と第２部分２４とを備えている。具体的には、ステータ停止部は、ロータをステータ１のハウジングに収容する場合、ステータ１の外壁からロータ２に向かって延びている。同様に、ロータ停止部は、ステータ１の内壁からロータ２の回転軸に向かって延びている。
【００３８】
ブロック手段３３、３４は、ステータ停止部および／またはロータ停止部と協働して休止位置から開いた角度位置に向かうロータ２の回転をブロックするブロック脚を備えている。戻り手段３は、このブロック脚を備えているという利点を有している。
【００３９】
具体的には、図４ｂに示すように、ブロック手段３３は、ステータ停止部の第１部分１３およびロータ停止部の第１部分２３と協働しており、かつブロック手段３４は、ステータ停止部の第２部分１４およびロータ停止部の第２部分２４と協働している。
【００４０】
本発明の一実施形態によれば、ロータ２の休止位置２３ｂ、２４ｂにおいて、ハウジング２６、ステータおよびロータ停止部は、戻り手段３がロータ停止部およびステータ停止部と協働するように配置されている。
【００４１】
換言すれば、ロータ２の休止位置２３ｂ、２４ｂにおいて、ハウジング２６、ステータおよびロータ停止部は、連続している。具体的には、ロータ２の休止位置２３ｂ、２４ｂにおいて、戻り手段３をハウジング２６に位置決めすることにより、戻り手段３がロータ停止部およびステータ停止部と協働するようになる。
【００４２】
具体的には、図４ｂに示すように、ロータ２の休止位置において、ロータ２のハウジング、ロータ停止部の第１部分２３およびステータ停止部の第１部分１３は、連続しており、かつ戻り手段３、特にブロック手段３４は、ロータおよびステータの停止部の第１部分１３．２３と協働している。同様に、ロータ２の休止位置において、ロータ２のハウジング、ロータ停止部の第２部分２４およびステータ停止部の第２部分１４は、連続しており、ブロック手段３４は、ロータおよびステータの停止部の第２部分１４、２４と協働している。
【００４３】
本発明の一実施形態によれば、ステータ１は、ステータ停止部によって、具体的にはステータ停止部の第１および第２部分１３、１４によって画定された外側角度窪み１５を備えている。換言すれば、図３に示すように、ステータ１は、ステータ１のハウジングに対してステータ１の外面からステータ１のハウジングに挿入されたロータ２に向かって延びる窪みを備えている。
【００４４】
特に、外側角度窪み１５は、ステータ１の外壁から、ステータ１の角度セクタにわたってロータ２を受けるようになっているステータのハウジングに向かって延びている。具体的には、外側角度窪み１５は、ステータ停止部の第１部分１３とステータ停止部の第２部分１４との間に含まれる角度セクタにわたって延びている。
【００４５】
同様に、ロータ２は、ロータ停止部によって、具体的には、ロータ停止部の第１および第２部分２３、２４によって画定された内側角度窪み２５を備えている。換言すれば、図４ａに示すように、ロータ２は、ロータ２の外面、すなわちステータ１のハウジングの壁と接触する面からロータの回転軸に向かって延びる窪みを備えている。
【００４６】
特に、内側角度窪み２５は、ロータ２の外壁から、ロータ２の角度セクタにわたってロータ２の回転軸に向かって延びている。具体的には、内側角度窪み２５は、ロータ停止部の第１部分２３とロータ停止部の第２部分２４との間に含まれる角度セクタにわたって延びている。
【００４７】
ステータ１の外側角度窪み１５およびロータ２の内側角度窪み２５は、４５°と１８０°との間、特にほぼ９０°で角度セクタにわたって延びていることが好ましい。
【００４８】
特に、ロータが休止位置にある場合、外側角度窪み１５および内側角度窪み２５は、少なくとも部分的に重なり合っている。換言すれば、ロータが休止位置にある場合、外側角度窪み１５の少なくとも一部と内側角度窪み２５の少なくとも一部とは、ロータの回転軸から同じ角度セクタにわたって延びている。例えば、図４ａに示すように、ロータ２の休止位置２３ｂ、２４ｂにおいて、角度窪み１５、２５は、完全に重なり合っている。具体的には、図４ａでは、外側１５と内側２５の角度窪みが連続している。
【００４９】
ロータが開いた角度位置２３ａ、２４ａにある場合、外側角度窪み１５および内側角度窪み２５は、少なくとも部分的に互いに位置を変えている。換言すれば、ロータの開いた角度位置において、外側角度窪み１５の少なくとも一部と内側角度窪み２５の少なくとも一部とは、ロータの回転軸から異なる角度セクタに延びている。特に、図３に示すように、ロータ２の開いた角度位置２３ａ、２４ａにおいて、角度窪み１５、２５は、全体的に互いに位置を変えている。具体的には、図３では、外側角度窪み１５および内側角度窪み２５は、ロータの回転軸から同じ角度セクタにわたって延びていない。
【００５０】
特に、ロータのハウジング２６は、内側角度窪み２５上で半径方向に開いている。
【００５１】
本発明の一実施形態によれば、ステータ１の第１取り付け手段１１は、ロータ２がステータ１のハウジング１２に収容される場合、ロータ２に向かって延びる少なくとも１つの突起を備えており、かつロータ２の第２取付手段２１、２２は、この突起と協働する少なくとも１つの窪みを備えている。第１取り付け手段１１の突起と第２取り付け手段２１、２２の窪みとの協働により、閉じた角度位置２３ｂ、２４ｂにおいて、ロータ２をステータ１内で軸方向に固定することができる。
【００５２】
本発明の一実施形態によれば、ステータ１は、一体化されている。一体化されたステータは、このステータを備えるロック機構の取り付け時間および取り付けコストを低減することができるという利点を有している。さらに、ステータが一体化されている場合、ステータの位置ずれは起こり得ず、ロックを掛ける試みからの危険性を低減することができる。
【００５３】
本発明の一実施形態によれば、ロータ２は、キー差し込み用のキー差し込み口と、タンブラーなどのコード化部材とを備えている。このタンブラーは、キーが差し込まれていない場合、または不適合キーがロータ２のキー差し込み口に差し込まれている場合に、ステータ１内でロータ２が回転することをブロックすることができる。
【００５４】
本発明の一実施形態によれば、ロック機構は、ロック解除キーを差し込むための前部と、ロック解除部材と協働する後部とを備えている。特に、ロック解除キーは、ロータ２の休止位置においてロック機構に差し込まれる。ロック解除キーを回すことにより、ロータ２を休止位置から動作位置へ、したがってロック機構のロック解除部材の作動へと切り替えることができる。
【００５５】
特に図２に示すように、取り付け手段１１、２１、２２は、ロータ２が、開いた角度位置２３ａ、２４ａにおいて、ステータ１内のロック機構の後部近くに軸方向に挿入可能になっていることが好ましい。取り付け手段１１、２１、２２は、力を加えること、特に押し付けること、および抜き取ることに対する良好な抵抗力を持つことができるという利点を有している。実際には、ロータをステータ内のロック機構の後部近くに挿入することにより、ロック機構の抜き取りに対して良好な抵抗力をもつことができ、取付け手段１１、２１、２２の協働により、ロック機構の押し付けに対して良好な抵抗力をもつことができる。
【００５６】
本発明は、前述したような自動車用のロック機構を取り付ける方法にも関する。
【００５７】
特に、取り付け方法は、ロータがステータに挿入される挿入工程を含んでいる。具体的には、ロータは、開いた角度位置で、ステータに、好ましくはステータの後部近くに、軸方向に挿入される。特に図３に示すように、ロータ２をステータ１に挿入した後、第１取り付け手段と第２取り付け手段とが協働することにより、ロータは、ロータ軸に沿って平行移動可能となる。
【００５８】
この方法は、挿入工程に続いて、ロータが閉じた角度位置まで旋回する回転工程を含んでいる。具体的には、ロータは、開いた角度位置から閉じた角度位置、特に休止位置まで旋回する。図４ａに示すように、ステータ１内のロータ２が、開いた角度位置から閉じた角度位置へ回転した後、第１取り付け手段と第２取り付け手段とが協働することにより、ロータは、ロータ軸に沿って平行にブロックされる。ロータ２は回転することにより、閉じた角度位置から開いた角度位置に向かってロータ２の回転をブロックする位置でブロック手段を駆動する。換言すれば、ブロック手段は、ロータ２が休止位置から開いた角度位置へ回転するのを防止するように配置されている。
【００５９】
特に、ステータ１およびロータ２は、差し込み式に取り付けられており、すなわち、差し込み式締結システムを有している。具体的には、まず、ロータ２がステータ１のハウジング内に軸方向に挿入され、第１および第２取り付け手段１１、２１、２２の協働を引き起こすことにより、ロータ２は、ロータの回転軸に沿って平行移動可能となる。そして、ロータ２がステータ１に対して旋回することにより、第１および第２取り付け手段１１、２１、２２の協働を引き起こし、ロータ２は、ロータの回転軸の周りを回転可能となり、ステータ１に対して平行にブロックされる。
【００６０】
本発明は、前述したような少なくとも１つのロック機構を備えている自動車にも関しており、ロック機構は、始動装置、ドアリーフ、燃料タンク、または自動車のグローブボックスに取り付けることができる。特許請求の範囲において、「備える」という語は、他の要素または工程を排除するものではなく、不定冠詞は、複数を排除するものではない。異なる特徴が、異なる従属請求項に記載されているという単なる事実は、これらの特徴の組み合わせが有利に用いることができないことを示すものではない。特許請求の範囲における如何なる符号も、本発明の範囲を限定するものとして解釈されるべきではない。
【符号の説明】
【００６１】
１          ステータ
２          ロータ
３          戻り手段
１１        第１取り付け手段
１２        ハウジング
１３        第１部分（ステータ停止部）
１４        第２部分（ステータ停止部）
１５        外側角度窪み
２１        第２取り付け手段
２２        第２取り付け手段
２３        第１部分（ロータ停止部）
２３ａ      開いた角度位置
２３ｂ      休止位置
２４        第２部分（ロータ停止部）
２４ａ      開いた角度位置
２４ｂ      休止位置
２５        内側角度窪み
２６        ハウジング
３３        ブロック手段
３４        ブロック手段
【図１】
2019510899.tif 000003
【図２】
2019510899.tif 000004
【図３】
2019510899.tif 000005
【図４ａ】
2019510899.tif 000006
【図４ｂ】
2019510899.tif 000007
【国際調査報告】
2019510899.tif 000008
2019510899.tif 000009
2019510899.tif 000010
2019510899.tif 000011